(57)【特許請求の範囲】
【請求項１】
照明具本体４と灯光体５と薬剤揮散器具６より成る薬剤揮散器具を備えた照明具において、
前記照明具本体４は、下端部に第１口枠１ａを有し、上端部に第２口枠１ｂを有した縦長の中空胴部１と、この第１口枠１ａに、当該第１口枠１ａよりも下方に突出して取付けた第１取付体２と、前記第２口枠１ｂに、当該第２口枠２ｂよりも上方に突出して取付けた第２取付体３を備え、
前記灯光体５を、前記第１取付体２に、中間胴部１の内部を照明するように取付け、
前記薬剤揮散器具６は、容器３０に揮散性の薬剤３１とファン３２を設け、そのファン３２を駆動することで薬剤３１に空気が触れて強制揮散し、空気とともに放出される送風型揮散器具とし、
この薬剤揮散器具６を前記第２取付体３に、その薬剤３１が中空胴部１内に突出しないように、かつその薬剤３１から揮散した薬剤が中空胴部１の外部に放出されるように設けたことを特徴とする薬剤揮散器具を備えた照明具。
【請求項２】
第１取付体２は中空胴部１内を大気に連通する通気部２ｂを有し、
第２取付体３は中空胴部１内に開口した開口部２４を有し、
薬剤揮散器具６は、吸込口３４と放出口３５を有する容器３０内に薬剤３１とファン３２を設けた送風型揮散器具で、その吸込口３４が前記開口部２４に連通し、放出口３５が大気に開口している請求項１記載の薬剤揮散器具を備えた照明具。
【請求項３】
第２取付体３は、中空胴部１内に空気を流通する通気部３ｂを有する請求項２記載の薬剤揮散器具を備えた照明具。
【請求項４】
第１取付体２は中空胴部１内を大気に連通する通気部２ｂを有し、
薬剤揮散器具６は、吸込口３４と放出口３５を有する容器３０内に薬剤３１とファン３２を設けた送風型揮散器具で、その吸込口３４が第２口枠１ｂを通して中空胴部１内に連通し、放出口３５が大気に開口している請求項１記載の薬剤揮散器具を備えた照明具。
【請求項５】
第２取付体３は収納部３ａを有し、この収納部３ａ内に薬剤揮散器具６が収納して取付けてある請求項１又は２又は３記載の薬剤揮散器具を備えた照明具。
【請求項６】
第２取付体３に薬剤揮散器具６を着脱自在に取付けた請求項１〜５いずれか一項記載の薬剤揮散器具を備えた照明具。
【発明の詳細な説明】
【０００１】
【発明の属する技術分野】
本発明は、照明空間を快適な雰囲気にする照明具に関し、更に詳細には、飛翔害虫など害虫の侵入や集合等のトラブルを事前に防止したり、又は、薫りやアロマテラピーにより居心地のよい空間にするなどの効能を有する揮散性薬剤を揮散する薬剤揮散器具を備えた照明具に関するものである。
【０００２】
【従来の技術】
従来、ホテル、旅館、料亭、庭園などの室内、又は屋外における照明空間には照明具を設置している。一方、この照明空間における飛翔昆虫などの害虫の防除方法として、蚊取線香を収納した容器や電気蚊取器等の蚊取用具が使用されている。しかし、この害虫防除策は、照明具とは別に蚊取用具を設置しているので、使用側にとって、多くの害虫がいることを知らしめると共に、それら蚊取用具が丸見えで見栄えも悪く、イメージダウンを免れなかった。
【０００３】
一方、従来から殺虫効能や芳香効能を有する照明具が種々提案されている。
例えば、特許文献１に電気蚊取器を備えた電気スタンドが開示されている。
特許文献２に芳香剤を備えた回り灯籠が開示されている。
【０００４】
【特許文献１】
実開平６−６００２１号公報
【特許文献２】
特開昭６３−２７９８４９号公報
【０００５】
【発明が解決しようとする課題】
前述の電気スタンドは殺虫効能を有する照明具であるが、台座に電気蚊取器を取付け、この台座の上方に枠体を配置し、その枠体の下部に灯光体（電球）を設けた形態であるから、電気蚊取器と灯光体が接近しており、相互に悪影響を及ぼし合うことがある。
例えば、灯光体の発熱により電気蚊取器が加熱されて変質等したり、電気蚊取器から揮散した薬剤が灯光体に付着し易い。
【０００６】
前述の回り灯籠は芳香効能を有する照明具であるが、芳香剤収納器に灯光体（光熱源）を取付けてあるので、前述の電気スタンドと同様に灯光体と芳香剤が相互に悪影響を及ぼし合うことがある。
【０００７】
本発明は、前述の課題に鑑みなされたものであり、その目的は、灯光体と薬剤揮散器具が相互に悪影響を及ぼし合うことがない薬剤揮散器具を備えた照明具、特に、旅館、ホテルなどの照明空間において、害虫トラブルを未然に防ぐなど快適な雰囲気としてお客様を歓待できるための照明具として好ましい薬剤揮散器具を備えた照明具を提供することである。
【０００８】
【課題を解決するための手段】
第１の発明は、照明具本体４と灯光体５と薬剤揮散器具６より成る薬剤揮散器具を備えた照明具において、
前記照明具本体４は、下端部に第１口枠１ａを有し、上端部に第２口枠１ｂを有した縦長の中空胴部１と、この第１口枠１ａに、当該第１口枠１ａよりも下方に突出して取付けた第１取付体２と、前記第２口枠１ｂに、当該第２口枠２ｂよりも上方に突出して取付けた第２取付体３を備え、
前記灯光体５を、前記第１取付体２に、中間胴部１の内部を照明するように取付け、
前記薬剤揮散器具６は、容器３０に揮散性の薬剤３１とファン３２を設け、そのファン３２を駆動することで薬剤３１に空気が触れて強制揮散し、空気とともに放出される送風型揮散器具とし、
この薬剤揮散器具６を前記第２取付体３に、その薬剤３１が中空胴部１内に突出しないように、かつその薬剤３１から揮散した薬剤が中空胴部１の外部に放出されるように設けたことを特徴とする薬剤揮散器具を備えた照明具である。
【０００９】
第２の発明は、第１の発明において、前記第１取付体２は中空胴部１内を大気に連通する通気部２ｂを有し、
第２取付体３は中空胴部１内に開口した開口部２４を有し、
薬剤揮散器具６は、吸込口３４と放出口３５を有する容器３０内に薬剤３１とファン３２を設けた送風型揮散器具で、その吸込口３４が前記開口部２４に連通し、放出口３５が大気に開口している薬剤揮散器具を備えた照明具である。
【００１０】
第３の発明は、第２の発明において、第２取付体３は、中空胴部１内に空気を流通する通気部３ｂを有する薬剤揮散器具を備えた照明具である。
【００１１】
第４の発明は、第１の発明において、第１取付体２は中空胴部１内を大気に連通する通気部２ｂを有し、
薬剤揮散器具６は、吸込口３４と放出口３５を有する容器３０内に薬剤３１とファン３２を設けた送風型揮散器具で、その吸込口３４が第２口枠１ｂを通して中空胴部１内に連通し、放出口３５が大気に開口している薬剤揮散器具を備えた照明具である。
【００１２】
第５の発明は、第１又は第２又は第３の発明において、第２取付体３は収納部３ａを有し、この収納部３ａ内に薬剤揮散器具６が収納して取付けてある薬剤揮散器具を備えた照明具である。
【００１３】
第６の発明は、第１〜第５いずれか１つの発明において、第２取付体３に薬剤揮散器具６を着脱自在に取付けた薬剤揮散器具を備えた照明具である。
【００１４】
【００１５】
【作用】
第１の発明によれば、殺虫効力、芳香効力などを有する照明具である。
また、縦長の中空胴部１の下端部の第１口枠１ａに取り付けた第１取付体２に灯光体５が取付けられ、中空胴部１の上端部の第２口枠１ｂに取付けた第２取付体３に薬剤揮散器具６が取付けてあるので、灯光体５と薬剤揮散器具６は上下方向に離隔して相互に悪影響を及ぼし合うことがない。
よって、特に旅館、ホテルなどの照明空間において、害虫トラブルを未然に防ぐなど快適な雰囲気としてお客様を歓待できる照明具として好ましい薬剤揮散器具を備えた照明具である。
【００１６】
第２の発明によれば、灯光体５を点灯した時に生ずる上昇気流を利用して薬剤３１を放出口３５から大気に揮散することができるので、ファン３２を停止した場合でも照明時に殺虫効力、芳香効力等を得ることができる。
また、ファン３２を駆動した時には第１取付体２の通気部２ｂ、中空胴部１内、第２取付体３の開口部２４を通して大気を吸込口３４から吸い込んで、放出口３５から薬剤３１を大気に揮散できるので、灯光体５を点灯しない昼間等などでも殺虫効力、芳香効力が得られる。
また、灯光体５を点灯すると共に、ファン３２を駆動することで、より多大な殺虫効力、芳香効力が得られる。
【００１７】
しかも、前述したいずれの場合でも薬剤は放出口３５から大気に直接揮散され、中空胴部１内に薬剤が放出されないので、中空胴部１内や灯光体５が薬剤で汚染、劣化することがなく、長期間に亘って使用できる。
また、第２取付体３の開口部２４から容器３０の吸込口３４に中空胴部１内の空気がスムーズに流入するから、薬剤を効率良く揮散できる。
【００１８】
第３の発明によれば、薬剤揮散器具６のファン３２を駆動することで、第２取付体３の通気部３ｂから中空胴部１内に空気が流通し、その中空胴部１内の空気が吸込口３４から容器３０内に吸い込まれ、薬剤３１に触れて強制揮散し、放出口３５から空気とともに放出される。
【００１９】
第４の発明によれば、灯光体５を点灯した時に生ずる上昇気流を利用して薬剤３１を放出口３５から大気に揮散することができるので、ファン３２を停止した場合でも照明時に殺虫効力、芳香効力等を得ることができる。
また、ファン３２を駆動した時には第１取付体２の通気部２ｂ、中空胴部１内、第２口枠１ｂを通して大気を吸込口３４から吸い込んで、放出口３５から薬剤３１を大気に揮散できるので、灯光体５を点灯しない昼間等などでも殺虫効力、芳香効力が得られる。
また、灯光体５を点灯すると共に、ファン３２を駆動することで、より多大な殺虫効力、芳香効力が得られる。
しかも、前述したいずれの場合でも薬剤は放出口３５から大気に直接揮散され、中空胴部１内に薬剤が放出されないので、中空胴部１内や灯光体５が薬剤で汚染、劣化することがなく、長期間に亘って使用できる。
【００２０】
第５の発明によれば、薬剤揮散器具６は第２取付体３の収納部３ａ内に収納して取付けてあるから、その薬剤揮散器具６が目立つことがない。
よって、照明空間において違和感のない見栄えの良い照明具である。
【００２１】
第６の発明によれば、薬剤揮散器具６を第２取付体３から取り外し、新らしいものを再び取付けできるので、薬剤揮散器具６を容易に交換できる。
【００２２】
【００２３】
【発明の実施の形態】
図１に示すように中空胴部１の一端部の第１口枠１ａに第１取付部２を取付け、他端部の第２口枠１ｂに第２取付部３を取付けて照明具本体４を形成している。
この実施の形態では、中空胴部１は縦長で照明具本体４は提灯形態で、中空胴部１の第１口枠１ａは下端部で、その第１口枠１ａに第１取付体２が着脱自在に取付けられ、中空胴部１の第２口枠１ｂは上端部で、その第２口枠１ｂに第２取付体３が取付けてある。これに限ることはなく、照明具本体４の形態は行灯、灯籠、ボンボリ等でも良い。
【００２４】
前記第１取付体２に灯光体５が取付けてあり、第２取付体３に薬剤揮散器具６が設けてある。
前記灯光体５で中空胴部１の内部を照明し、薬剤揮散器具６から揮散した薬剤は中空胴部１の外部に放出される。
よって、灯光体５と薬剤揮散器具６が遠く離れ、相互に悪影響を及ぼし合うことがない。
【００２５】
前記第１取付体２は設置部２ａと通気部２ｂを有し、その通気部２ｂで中空胴部１内に空気を流通する。
例えば、第１取付体２は筒体１０内に横板１１を一体的に設けて上向凹部１２と下向凹部１３を有し、その上向凹部１２内に灯光体５を取付けると共に、横板１１に孔１４を形成して通気部２ｂとしてある。前記筒体１０の下部が上部よりも拡がった形状で、その部分が設置部２ａである。
【００２６】
前記第２取付体３は収納部３ａと通気部３ｂを有し、その収納部３ａに薬剤揮散器具６が収納され、通気部３ｂで中空胴部１内に空気を流通する。
例えば、第２取付体３は図２と図３に示すように、筒体２０と底板２１で上面が開口した凹陥部２２を有する形態で、その凹陥部２２が収納部３ａである。前記底板２１に孔２３を形成して通気部３ｂとしてある。
【００２７】
前記薬剤揮散器具６は図２に示すように、容器３０の薬剤室３０ａに揮散性の薬剤３１を設け、送風室３０ｂにファン３２を設け、ファン３２をモータ３３で駆動することで吸込口３４から空気を吸い込み、放出口３５から放出する。この空気が薬剤３１に触れて強制揮散し、放出口３５から空気とともに放出される送風型揮散器具である。
前記薬剤３１は、この実施の形態では薬剤保持体、例えば揮散性薬剤を含有した粒３６を通気性容器３７に収納したもので、前記容器３０の薬剤室３０ａに交換自在に設けられる。
【００２８】
前記第２取付体３の底板２１には図２、図３に示すように、開口部２４と環状溝２５が形成してある。
この開口部２４は前記容器３０の吸込口３４と対向し、環状溝２５に容器３０の下部外周縁部が嵌合する。
このようであるから、容器３０の下部外周縁部を環状溝２５に嵌合することで薬剤揮散器具６が第２取付体３の収納部３ａに位置決めして取付けられ、容器３０の吸込口３４が開口部２４を通して中空胴部１内に連通するので、中空胴部１内から空気が吸い込みされる。
【００２９】
したがって、第２取付体３に薬剤揮散器具６を位置決めして安定した状態で取付けできる。
また、第１取付体２の通気部２ｂから中空胴部１内に空気が流入し、その中空胴部１内の空気が容器３０の吸込口３４から吸い込みされ、薬剤３１を通って放出口３５から流出するので、容器３０内に空気がスムーズに流通し、薬剤３１を効率良く揮散することができる。
また、薬剤揮散器具６は収納部３ａに収納され、第２取付体３から突出しないので、その薬剤揮散器具６が目立つことがなく見栄えの良い照明具である。
【００３０】
また、灯光体５が下部で薬剤揮散器具６が上部に設けてあると共に、その吸込口３４が中空胴部１に開口し、かつ放出口３５が外部に開口しているから、灯光体５を点灯した照明時に中空胴部１内に生ずる上昇気流によって空気が薬剤３１を通して外部に流れるので、ファン３２を停止した状態、つまり薬剤揮散器具６の使用を中断した場合でも照明時に薬剤を揮散することができる。
【００３１】
前述の実施の形態ではファン３２をシロッコファンとしたが、そのファン３２をプロペラファンとしても良い。
例えば、図４に示すように容器３０の上部に薬剤収納室３０ａ、下部に送風室３０ｂを形成し、下部に吸込口３４、上部に放出口３５を形成する。
そして、ファン３２を駆動することにより、中空胴部１内の空気を吸い込み薬剤３１を通して揮散性薬剤を伴った気流を大気中に放散する。
【００３２】
【００３３】
【００３４】
図５に示すように、第２取付体３を筒形状とし、薬剤揮散器具６を蓋３９に容器３０を取付けた形態とし、その蓋３９を第２取付体３の上面に接して容器３０を第２取付体３内に設けても良い。
例えば、蓋３９に通気部３９ａと下向きの環状突片３９ｂを形成し、その環状突片３９ｂを第２取付体３の上部に嵌合して取付ける。
前記容器３０は蓋３９の下面に接着剤３９ｃで接着して取付けても良いし、ねじで固定したり、索条などで吊り下げて取付けても良い。
【００３５】
【００３６】
【００３７】
【００３８】
前記第２取付体３を筒体５０と容器取付体（中敷き体）５１より形成し、その容器取付体５１に薬剤揮散器具６の容器３０を取付けるようにしても良い。
例えば、図６、図７に示すように、筒体５０の内周面に上端面に開口した縦溝５２を複数形成し、容器取付体５１は筒体５０の内面に接する円板形状で、その外周面に縦溝５２に嵌まり合う突片５３を複数形成して容器取付体５１を筒体５０に嵌め込んで取付け固定できるようにする。
前記容器取付体５１に容器取付用開口部５４と通気部、例えば孔５５を形成する。
薬剤揮散器具６の容器３０の上下中間部にフランジ５６を形成し、その容器３０の薬剤室３０ａを形成する下方部分を容器取付用開口部５４に嵌合してフランジ５６を容器取付体５１の上面に接して容器３０を取付ける。
【００３９】
前記縦溝５２の長さを変更することで容器取付体５１の取付け高さを変更できるので、薬剤揮散器具６の取付け高さを変更できる。
【００４０】
図８に示すように、容器取付体５１を筒体５０の内周面よりも小径とし、その容器取付体５１の外周面５１ａと筒体５０の内周面５０ａとの間に隙間５７を形成し、この隙間５７を通気部としても良い。
【００４１】
また、図９と図１０に示すように、容器取付体５１を小径とすると共に、突片５３を長くし、筒体５０に上端面に開口したスリット５８を形成し、そのスリット５８に突片５３を嵌め込むようにしても良い。
【００４２】
前述の縦溝５２、スリット５８を長さの異なる複数形成することで、容器取付体５１を筒体５０に異なる高さに取付けできるので、薬剤揮散器具６を異なる高さに取付けできる。
例えば、図１０に示すように短かい第１のスリット５８−１と長い第２のスリット５８−２を突片５３の数だけ形成すれば、その突片５３を第１のスリット５８−１に嵌め込むことで薬剤揮散器具６を高さ位置に取付けできるし、突片５３を第２のスリット５８−２に嵌め込むことで薬剤揮散器具６を低い位置に取付けできる。
【００４３】
また、図１１と図１２に示すように、容器取付体５１を中央部が凹んだほぼ筒形状で、その中央部に開口部５９を有すると共に、外周部にフック部６０を有する形状とし、そのフック部６０を筒体５０の上部に係合して取付け、中央部に容器３０を嵌め込むようにして取付けても良い。
【００４４】
以上の各実施の形態においては薬剤揮散器具６の容器３０における吸込口３４と中空胴部１が直接連通しているが、これに限ることはなく吸込口３４から大気を吸い込むようにしても良い。
例えば、図１３に示すように前述した第１の実施の形態において第２取付体３の底板２１を開口部２４を有しない形態とし、容器３０の下部に吸込口３４を形成する。
また、第１の実施の形態において容器３０を上下反転して底板２１の上に置くことも可能である。
【００４５】
【００４６】
【００４７】
【００４８】
【００４９】
【００５０】
【００５１】
【００５２】
【００５３】
本発明に採用される照明具としては、前述のように提灯、灯籠、行灯、ボンボリなどの形態が挙げられる。その形状は、特に限定されず、例えば、横断面が円形、四角形、六角形、菱形、半円形など適形状の筒形であって、上下方向に折畳み自在のもの、また、寸胴の折畳みができないものと自由に設計できる。また、中空胴部１は、口枠１ａ，１ｂにてその体型をなし、該体型は、紙、合成紙、樹脂フィルム、不織布、ガラス、布など材料による成形物、また、該成形物を支持棒材や螺旋状に連結する外郭骨格材にて製作される。支持棒材、外郭骨格材の材料は、木製、竹製、樹脂製、金属製などが例示できる。
【００５４】
また、口枠１ａ，１ｂや取付部材２，３の形状は、通常、中空胴部１の形状に合った形、例えば、円形、四角形、六角形、菱形、半円形などが例示されるが、特に限定されるものではなく、薬剤揮散器具６の取付け、中空胴部１を支える形など条件を考慮したものであればよい。その使用材料は、前述の支持棒材や外郭骨格材に準ずる木製、竹製、樹脂製、金属製などが例示できる。
【００５５】
前記照明具の灯光体５としては、ローソクなど燃焼式、電球など商用電源式、電池式、太陽電池式の灯りが挙げられる。その内、商用電源式、電池式、太陽電池式が好ましく、使用場面に応じて選択される。
【００５６】
本発明に用いる薬剤揮散器具６として、大きな揮散表面積を有する造形物からなる自然型揮散器具、又はファンによる発生気流により薬剤を放散する送風型揮散器具が挙げられる。
好ましくは、広範囲の揮散性薬剤の使用が可能であり、また、使用時間が自由にコントロールできる利点がある送風型放散器具である。
【００５７】
前記自然型揮散器具としては、例えば、造花、葉の多い観葉植物、ペーパークラフト創作物、すのこ形創作物、などが例示され、また、この使用形態は、収容部内部が満杯になる造形物（大きさ、数量など）が望ましい。これら造形物は、揮散性の高い香料など薬剤を用いることで、灯光体による熱気流により大気中に揮散される。また、照明具の飾りとして美観性を持たせたり、または照明具のイメージを変貌するのに有効である。
【００５８】
ファンとしては、複数枚の傾斜羽根を駆動軸に放射状に設けたプロペラファンで送風を行う軸流式送風機、駆動軸に平行な方向に多数の羽根を円筒状に設け、駆動軸と直交する方向へ送風を行う多翼式送風機などが例示でき、音が少ない、電池で駆動が可能であることから一般家庭用として好ましい。ただし、広い場所での使用、効果を強めるなどを要求される業務用の場合は前記送風機に限定されず、商用電源、又は充電式を想定した送風機を採用することができる。
【００５９】
前記電池としては、市販等容易に入手できる汎用型電池のアルカリ乾電池、マンガン乾電池等が挙げられる。
【００６０】
前記揮散性薬剤としては、従来より用いられている殺虫、忌避、成長制御などの害虫防除剤、或いは消臭効果、芳香効果、アロマテラピー効果、アロマコロジー効果などに用いられる各種薬剤が挙げられる。
【００６１】
前記薬剤保持体としては、揮散性薬剤を含有した液状物、ゲル状物、粘性物（塗料、接着剤等）、固化物（昇華剤、ワックス等）など製剤を収容した容器、又は揮散性薬剤を紙、木材、樹脂、天然繊維、合成繊維、セラミック、などに含浸、又は混合した粉粒状物、球状物、マット状物、シート状物、フィルム状物など成形物、或いはこれらを成形物を通気性の容器に収納したもの、などが挙げられ、照明具の用途に応じて選択することが望ましい。
【００６２】
【発明の効果】
請求項１に係る発明によれば、殺虫効力、芳香効力などを有する照明具である。
また、縦長の中空胴部１の下端部の第１口枠１ａに取り付けた第１取付体２に灯光体５が取付けられ、中空胴部１の上端部１の第２口枠１ｂに取付けた第２取付体３に薬剤揮散器具６が取付けてあるので、灯光体５と薬剤揮散器具６は上下方向に離隔して相互に悪影響を及ぼし合うことがない。
よって、特に旅館、ホテルなどの照明空間において、害虫トラブルを未然に防ぐなど快適な雰囲気としてお客様を歓待できる照明具として好ましい薬剤揮散器具を備えた照明具である。
【００６３】
請求項２に係る発明によれば、灯光体５を点灯した時に生ずる上昇気流を利用して薬剤３１を放出口３５から大気に揮散することができるので、ファン３２を停止した場合でも照明時に殺虫効力、芳香効力等を得ることができる。
また、ファン３２を駆動した時には第１取付体２の通気部２ｂ、中空胴部１内、第２取付体３の開口部２４を通して大気を吸込口３４から吸い込んで、放出口３５から薬剤３１を大気に揮散できるので、灯光体５を点灯しない昼間等などでも殺虫効力、芳香効力が得られる。
また、灯光体５を点灯すると共に、ファン３２を駆動することで、より多大な殺虫効力、芳香効力が得られる。
【００６４】
しかも、前述したいずれの場合でも薬剤は放出口３５から大気に直接揮散され、中空胴部１内に薬剤が放出されないので、中空胴部１内や灯光体５が薬剤で汚染、劣化することがなく、長期間に亘って使用できる。
また、第２取付体３の開口部２４から容器３０の吸込口３４に中空胴部１内の空気がスムーズに流入するから、薬剤を効率良く揮散できる。
【００６５】
請求項３に係る発明によれば、薬剤揮散器具６のファン３２を駆動することで、第２取付体３の通気部３ｂから中空胴部１内に空気が流通し、その中空胴部１内の空気が吸込口３４から容器３０内に吸い込まれ、薬剤３１に触れて強制揮散し、放出口３５から空気とともに放出される。
【００６６】
請求項４に係る発明によれば、灯光体５を点灯した時に生ずる上昇気流を利用して薬剤３１を放出口３５から大気に揮散することができるので、ファン３２を停止した場合でも照明時に殺虫効力、芳香効力等を得ることができる。
また、ファン３２を駆動した時には第１取付体２の通気部２ｂ、中空胴部１内、第２口枠１ｂを通して大気を吸込口３４から吸い込んで、放出口３５から薬剤３１を大気に揮散できるので、灯光体５を点灯しない昼間等などでも殺虫効力、芳香効力が得られる。
また、灯光体５を点灯すると共に、ファン３２を駆動することで、より多大な殺虫効力、芳香効力が得られる。
しかも、前述したいずれの場合でも薬剤は放出口３５から大気に直接揮散され、中空胴部１内に薬剤が放出されないので、中空胴部１内や灯光体５が薬剤で汚染、劣化することがなく、長期間に亘って使用できる。
【００６７】
請求項５に係る発明によれば、薬剤揮散器具６は第２取付体３の収納部３ａ内に収納して取付けてあるから、その薬剤揮散器具６が目立つことがない。
よって、照明空間において違和感のない見栄えの良い照明具である。
【００６８】
請求項６に係る発明によれば、薬剤揮散器具６を第２取付体３から取り外し、新らしいものを再び取付けできるので、薬剤揮散器具６を容易に交換できる。
【００６９】
【図面の簡単な説明】
【図１】  本発明の第１の実施の形態を示す照明具の一部破断正面図である。
【図２】  第２取付体部分の拡大断面図である。
【図３】  第２取付体の平面図である。
【図４】  プロペラファンを用いた薬剤揮散器具の断面図である。
【図５】  薬剤揮散器具の第２取付体への取付けの第２の実施の形態を示す断面図である。
【図６】  薬剤揮散器具の第２取付体への取付けの第３の実施の形態を示す断面図である。
【図７】  第２取付体の平面図である。
【図８】  第２取付体の他の例を示す平面図である。
【図９】  薬剤揮散器具の第２取付体への取付けの第６の実施の形態を示す断面図である。
【図１０】  第２取付体の平面図である。
【図１１】  薬剤揮散器具の第２取付体への取付けの第４の実施の形態を示す断面図である。
【図１２】  第２取付体の平面図である。
【図１３】  薬剤揮散器具の第２取付体への取付けの第５の実施の形態を示す断面図である。
【符号の説明】
１…中空胴部、１ａ…第１口枠、１ｂ…第２口枠、２…第１取付体、２ｂ…通気部、３…第２取付体、３ａ…収納部、３ｂ…通気部、４…照明具本体、５…灯光体、６…薬剤揮散器具、２４…開口部、３０…容器、３１…薬剤、３２…ファン、３４…吸込口、３５…放出口。
【図１】
0004225041.tif 000002
【図２】
0004225041.tif 000003
【図３】
0004225041.tif 000004
【図４】
0004225041.tif 000005
【図５】
0004225041.tif 000006
【図６】
0004225041.tif 000007
【図７】
0004225041.tif 000008
【図８】
0004225041.tif 000009
【図９】
0004225041.tif 000010
【図１０】
0004225041.tif 000011
【図１１】
0004225041.tif 000012
【図１２】
0004225041.tif 000013
【図１３】
0004225041.tif 000014